【手続補正書】
【提出日】平成19年12月20日(2007.12.20)
【手続補正１】
【補正対象書類名】明細書
【補正対象項目名】特許請求の範囲
【補正方法】変更
【補正の内容】
【特許請求の範囲】  
【請求項１】  相互に直接隣接して配置された複数のフレアノッチアンテナ（５３）を含むアンテナにおいて、
各フレアノッチアンテナ（５３）が各フレアノッチアンテナ毎に異なる方向に向けられた最大利得の方向を有しており、
各フレアノッチアンテナが１対の向かい合う要素（５２）によって形成されており、
前記要素（５２）の各々が前記複数のフレアノッチアンテナのうち２つの異なるものに関連付けられており、前記各要素がギャップ（５８）を有しており、前記ギャップがアンテナによって送信および／または受信される無線周波数信号の４分の１の波長にほぼ等しい長さを有することを特徴とするアンテナ。
【請求項２】  高インピーダンス表面（７０）をさらに含み、前記複数のフレアノッチアンテナが前記高インピーダンス表面（７０）に直接隣接して配置された、請求項１に記載のアンテナ。
【請求項３】  前記高インピーダンス表面（７０）が、１つの表面上の導電裏板（７３）および第２の表面上の複数の導電領域（８２）を含み、第２の領域がそれぞれ、前記向かい合う要素（５２）におけるギャップ（５８）の長さより実質的に短い最大サイズを有する、請求項２に記載のアンテナ。
【請求項４】  前記高インピーダンス表面（７０）が、複数の導電領域（７６）の第２のアレイを含む絶縁層を含み、前記第２のアレイの複数の導電領域（７６）は、前記導電領域のうち隣接するものから離隔して配置されており、各導電領域が前記要素のうちの１つの面積の０．０１倍よりも小さい面積を有する、請求項２または３に記載のアンテナ。
【請求項５】  前記導電裏板が、複数の導電領域（７６）の前記第２のアレイに対して均一の間隔を置いた関係で配置された導電性のグラウンド面である、請求項４に記載のアンテナ。
【請求項６】  各導電領域が前記向かい合う要素（５２）のうちの１つの面積の０．０１倍よりも小さい面積を有する、請求項５に記載のアンテナ。
【請求項７】  最初に述べた複数の導電領域（８２）の各々を前記グランド面（７３）に結合する複数の導電要素をさらに含む、請求項６に記載のアンテナ。
【請求項８】  前記複数の導電領域（８２）は、前記高インピーダンス表面が前記無線周波数波に対してゼロの位相シフトを有するようにサイズ決めされる、請求項５から７のいずれか一項に記載のアンテナ。
【請求項９】  各導電領域（８２）が直線状である、請求項５から８のいずれか一項に記載のアンテナ。
【請求項１０】  前記複数のフレアノッチアンテナが複数のヴィヴァルディアンテナを含む、請求項１に記載のアンテナ。
【請求項１１】  前記要素が、平面的で導電性を有しており、複数のヴィヴァルディフレアノッチアンテナ（５３）がアレイ状に配置されており、各ヴィヴァルディフレアノッチアンテナが、間にフィードポイント（５４）が形成されて向き合った関係で配置された前記要素（５２）のうちの２つによって形成されている、請求項１０に記載のアンテナ。
【請求項１２】  各要素（５２）が、実質的に平面状の導電要素として形成されており、前記導電要素は、各要素（５２）の幅が中央領域（６９）から外端までの距離の大半に亘って増加するように、前記中央領域から前記外端まで実質的に延びており、そして、各要素が、前記中央領域に隣接する領域において、ギャップ（５８）によって分断される、請求項１０または１１に記載のアンテナ。
【請求項１３】  各々の要素（５２）の幅が、前記中央領域から前記外端までの距離の大半にわたって徐々に滑らかに増加する、請求項１２に記載のアンテナ。
【請求項１４】  各々の要素（５２）が、円の一部を形成する内端（６９）を有しており、そして、前記複数の要素が、その内端が共通の円を形成するように配置され、前記ギャップ（５８）が前記共通の円に関して実質的に放射状に配置されている、請求項１３に記載のアンテナ。
【請求項１５】  各々の要素（５２）の縁部（６２）が、隣接する要素（５２）の縁部（６２）から徐々に離れており、そして、前記フレアノッチアンテナのうちの１つのフィードポイント（５４）が、隣接する要素の縁部（６２）が相互に最も接近した場所に形成される、請求項１４に記載のアンテナ。
【請求項１６】  前記要素の前記縁部（６２）が楕円の一部を形成する、請求項１５に記載のアンテナ。
【請求項１７】  前記アレイに隣接して配置された高インピーダンス表面（７０）をさらに含み、前記高インピーダンス表面が絶縁基板（７９）を含む、請求項１１から１６のいずれか一項に記載のアンテナ。
【請求項１８】  前記高インピーダンス表面（７６）が、複数の導電領域のアレイを含む絶縁層（７８）をさらに含み、前記複数の導電領域は、前記複数の導電領域のうち隣接するものから離隔して配置されており、各導電領域が前記要素のうち１つの面積の０．０１倍よりも小さい面積を有する、請求項１７に記載のアンテナ。
【請求項１９】  高インピーダンス表面が、複数の導電領域（７６）の前記アレイに対して均一の間隔を置いた関係で配置された導電性のグラウンド面（７３）をさらに含む、請求項１８に記載のアンテナ。
【請求項２０】  前記高インピーダンス表面（７０）が、複数の導電領域の第２のアレイ（８２）をさらに含み、前記第２のアレイの導電領域のうち隣接するものは相互に離隔して配置されており、前記第２のアレイの各導電領域が前記要素のうち１つの面積の０．０１倍よりも小さい面積を有する、請求項１９に記載のアンテナ。
【請求項２１】  前記第２のアレイの導電領域の各々を前記グランド面に結合（８４）する複数の導電要素をさらに含む、請求項１９または２０に記載のアンテナ。
【請求項２２】  複数の導電領域のアレイ（７３、８４）における複数の導電領域が、前記高インピーダンス表面が前記無線周波数波に対してゼロの位相シフトを有するようにサイズ決めされる、請求項１８、１９、または２０に記載のアンテナ。
【請求項２３】  各導電領域（７３、８４）が直線状である、請求項１８から２２のいずれか一項に記載のアンテナ。
【請求項２４】  無線周波数波を送信および／または受信するためのアンテナであって、相互に隣接して配置され、最大利得の方向が異なる方向を指すように配置された複数のフレアノッチアンテナ（５３）を含み、前記フレアノッチアンテナの各々が１対の無線周波数放射要素（５２）に関連付けられているアンテナにおいて、
各無線周波数放射要素（５２）が２つの異なるフレアノッチアンテナのための無線周波数放射要素として作用し、そして、無線周波数波のほぼ４分の１波長に等しい長さを有するギャップ（５８）を有することを特徴とするアンテナ。
【請求項２５】  各要素（５２）が、実質的に平面状の導電要素であり、前記導電要素は、各要素の幅が中央領域（６９）から外端までの距離の大半に亘って増加しており、、そして、各要素が前記中央領域に隣接する領域において、ギャップ（５８）によって分断される、請求項２４に記載のアンテナ。
【請求項２６】  各要素（５２）の幅が、前記中央領域から前記外端までの距離の大半にわたって徐々に増加する、請求項２５に記載のアンテナ。
【請求項２７】  各々の要素（５２）が円（６９）の一部を形成する内端を有しており、そして、前記複数の要素（５２）が、その内端が共通の円を形成するように配置され、そのギャップ（５８）が前記共通の円に関して実質的に放射状に配置されている、請求項２６に記載のアンテナ。
【請求項２８】  各要素（５２）の縁部が、隣接する要素の縁部（６２）から徐々に離れており、そして、前記フレアノッチアンテナのうちの１つのフィードポイント（５４）が、隣接する要素（５２）の縁部（６２）が相互に最も接近した場所に形成される、請求項２７に記載のアンテナ。
【請求項２９】  前記要素の前記縁部（６２）が楕円の一部を形成する、請求項３３に記載のアンテナ。
【請求項３０】  前記複数のフレアノッチアンテナが絶縁基板（７９）に配置される、請求項２９に記載のアンテナ。